(57)【要約】【課題】  配線盤の配線作業を効率よく且つ確実に行えるように現場の作業者を支援する低コストの配線支援システムを提供すること。【解決手段】  配線盤１１のパネル１４に配設されているアダプタ１２には、アダプタ用非接触ＩＣタグ２０がそれぞれ配置されている。タグリーダ／ライタ４０のアンテナ４６は、アダプタ用非接触ＩＣタグ２０に近接して、パネル１４に配設されている。タグリーダ／ライタ４０は、配線管理装置を構成するデータベース１６から取得した配線管理情報に基づいて、配線作業指示情報を発信する。アダプタ用非接触ＩＣタグ２０は、受信した前記配線作業指示情報に含まれている識別情報と記憶している固有の識別情報とが一致した場合には、ＬＥＤ２４を発光させ、接続ケーブルのプラグを挿抜すべきアダプタの位置を作業者に直接的に報知する【選択図】  図1
2006054118.tif 000002
【特許請求の範囲】
【請求項１】
配線盤の多数のアダプタの中から選択されたアダプタへの接続ケーブルのプラグの挿抜を行う配線作業を支援する配線支援システムであって、
アダプタの固有の識別情報と位置情報を記憶した記憶部と報知部とを備えたアダプタ用非接触ＩＣタグと、
配線管理情報に基づいて前記アダプタ用非接触ＩＣタグとデータの授受を行うタグリーダ／ライタと
前記配線管理情報が格納されている配線管理装置とで構成され、
前記アダプタ用非接触ＩＣタグは、前記タグリーダ／ライタから受信した配線作業指示情報に含まれている識別情報と記憶している固有の識別情報が一致したときには、その報知部を作動させ、接続ケーブルのプラグを挿抜すべきアダプタの位置を作業者に直接的に報知することを特徴とする配線支援システム。
【請求項２】
配線盤の多数のアダプタの中から選択されたアダプタへの接続ケーブルのプラグの挿抜を行う配線作業を支援する配線支援システムであって、
アダプタの固有の識別情報と位置情報を記憶した記憶部と報知部とを備えたアダプタ用非接触ＩＣタグと、
配線管理情報に基づいて前記アダプタ用非接触ＩＣタグとデータの授受を行うタグリーダ／ライタと
前記配線管理情報が格納されている配線管理装置と、
プラグ挿抜センサとで構成され、
前記アダプタ用非接触ＩＣタグは、前記タグリーダ／ライタから受信した配線作業指示情報に含まれている識別情報と記憶している固有の識別情報が一致したときには、その報知部を作動させ、接続ケーブルのプラグを挿抜すべきアダプタの位置を作業者に報知すること、及び、
前記プラグ挿抜センサが前記アダプタに接続ケーブルのプラグが挿抜されたことを検出したときには、その報知部を作動させ、接続ケーブルのプラグの挿抜が完了したことを作業者に報知することを特徴とする配線支援システム。
【請求項３】
配線盤の多数のアダプタの中から選択されたアダプタへの接続ケーブルのプラグの挿抜を行う配線作業を支援する配線支援システムであって、
アダプタの固有の識別情報と位置情報を記憶した記憶部と報知部とを備えたアダプタ用非接触ＩＣタグと、
プラグの固有の識別情報と位置情報を記憶した記憶部を備えたプラグ用非接触ＩＣタグと
配線管理情報に基づいて前記アダプタ用非接触ＩＣタグ又はプラグ用非接触ＩＣタグとデータの授受を行うタグリーダ／ライタと
プラグ挿抜センサとで構成され、
前記アダプタ用非接触ＩＣタグは、前記タグリーダ／ライタから受信した配線作業指示情報に含まれている識別情報と記憶している固有の識別情報が一致したときには、その報知部を作動させ、接続ケーブルのプラグを挿抜すべきアダプタの位置を作業者に報知すること、及び、
前記タグリーダ／ライタは、前記プラグ挿抜センサが前記アダプタへの接続ケーブルのプラグの挿抜を検出したときには、前記挿抜されたプラグのプラグ用非接触ＩＣタグの記憶部のデータの書き換えと、前記アダプタのアダプタ用非接触ＩＣタグの記憶部のデータの書き換えを行うことを特徴とする配線支援システム。
【請求項４】
配線盤の多数のアダプタの中から選択されたアダプタへの接続ケーブルのプラグの挿抜を行う配線作業を支援する配線支援システムであって、
アダプタの固有の識別情報と位置情報を記憶した記憶部と報知部とを備えたアダプタ用非接触ＩＣタグと、
プラグの固有の識別情報と位置情報を記憶した記憶部を備えたプラグ用非接触ＩＣタグと
配線管理情報に基づいて前記アダプタ用非接触ＩＣタグ又はプラグ用非接触ＩＣタグとデータの授受を行うタグリーダ／ライタと
前記アダプタ用非接触ＩＣタグは、前記タグリーダ／ライタから受信した配線作業指示情報に含まれている識別情報と記憶している固有の識別情報が一致したときには、その報知部を作動させ、接続ケーブルのプラグを挿抜すべきアダプタの位置を作業者に報知すること、及び、
前記タグリーダ／ライタは、作業員が前記アダプタへの接続ケーブルのプラグの挿抜を確認した旨の信号を入力したときには、前記挿抜されたプラグのプラグ用非接触ＩＣタグの記憶部のデータの書き換えと、前記アダプタのアダプタ用非接触ＩＣタグの記憶部のデータの書き換えを行うことを特徴とする配線支援システム。
【請求項５】
前記タグリーダ／ライタは、前記挿抜されたプラグのプラグ用非接触ＩＣタグの記憶部のデータの書き換えと、前記アダプタのアダプタ用非接触ＩＣタグの記憶部のデータの書き換えを行ったときは、書き換えられたデータを配線管理装置に送信することを特徴とする請求項３又は４の配線支援システム。
【請求項６】
前記アダプタ用非接触ＩＣタグの報知部はＬＥＤを具備する発光型報知部であることを特徴とする請求項１〜４のいずれかの配線支援システム。
【請求項７】
前記アダプタ用非接触ＩＣタグの報知部はブザー等を具備する音響型報知部であることを特徴とする請求項１〜４のいずれかの配線支援システム。
【請求項８】
前記アダプタ用非接触ＩＣタグは１個のアダプタに１個ずつ前記配線盤に配置されていることを特徴とする請求項１〜４のいずれかの配線支援システム。
【請求項９】
前記アダプタ用非接触ＩＣタグは隣接する２個のアダプタに１個ずつ前記配線盤に配置されており、その記憶部には前記２個のアダプタの固有の識別情報が記憶されており、前記アダプタ用非接触ＩＣタグの報知部はＬＥＤを具備する発光型報知部であって且つ２種類の発光が可能なものであることを特徴とする請求項１〜４のいずれかの配線支援システム。
【請求項１０】
前記アダプタ用非接触ＩＣタグは隣接する２個のアダプタに１個ずつ前記配線盤に配置されており、その記憶部には前記２個のアダプタの固有の識別情報が記憶されており、前記アダプタ用非接触ＩＣタグの報知部はブザー等を具備する音響型報知部であって且つ２種類の報音が可能なものであることを特徴とする請求項１〜４のいずれかの配線支援システム。
【請求項１１】
前記プラグ用非接触ＩＣタグはプラグに取り付けられていることを特徴とする請求項３又は４の配線支援システム。
【請求項１２】
前記タグリーダ／ライタは前記アダプタ用非接触ＩＣタグに同時にアクセスできるように前記配線盤に配置されていることを特徴とする請求項１〜４のいずれかの配線支援システム。
【請求項１３】
前記タグリーダ／ライタは手持ちプローブ型装置であることを特徴とする請求項１〜４のいずれかの配線支援システム。
【請求項１４】
前記プラグ挿抜センサは前記アダプタ毎に配置されていることを特徴とする請求項２〜４のいずれかの配線支援システム。
【請求項１５】
前記プラグ挿抜センサが発生する信号は前記アダプタ用非接触ＩＣタグに入力されることを特徴とする請求項２〜３のいずれかの配線支援システム。
【請求項１６】
前記プラグ挿抜センサは機械接点スイッチ、磁力センサ、光センサのいずれかを利用したものであることを特徴とする請求項２、３、４、１４、１５のいずれかの配線支援システム。
【請求項１７】
前記配線管理装置はパソコンであることを特徴とする請求項１〜４のいずれかの配線支援システム。
【発明の詳細な説明】
【技術分野】
【０００１】
本発明は、配線盤の配線作業を支援する配線支援システムに関する。ここに、配線盤の配線作業とは、配線作業指示に従って、作業者が多数のアダプタの中から選択されたアダプタに接続ケーブルのプラグの挿着し、又は選択されたアダプタからプラグを抜去する作業である。
【背景技術】
【０００２】
特開２００３−１１４２４７号公報（特許文献１）には、ＬＥＤ付非接触ＩＣタグを用いた信号伝送線識別装置が開示されている。前記ＬＥＤ付非接触ＩＣタグは、アンテナ、ＣＰＵ、ＥＥＲＯＭ及びＬＥＤとで構成されたものである。前記ＥＥＲＯＭには、当該ＩＣタグに固有の識別情報が記憶されている。前記ＬＥＤは、タグリーダ／ライタから伝送された問合せ情報に含まれる識別情報と前記ＥＥＲＯＭに記憶された固有の識別情報が一致したときに発光し、当該ＩＣタグが探索の対象であることを報知するものである。
【０００３】
特許文献１の実施例によれば、前記信号伝送線識別装置は、６個の線路成端ユニットで構成された光配線盤の多数のジャンパ光コードの中から、配線変更すべきジャンパ光コードを容易に探索できるように支援する装置である。前記線路成端ユニットは横方向に２６個配設された線路成端トレイで構成され、前記線路成端トレイは上下一対にして配設されたアダプタモジュールで構成され、そして、前記アダプタモジュールは上下方向一列に８個配設された光コネクタアダプタで構成されている。選択された一対の光コネクタアダプタ間はジャンパ光コードで接続されている。ジャンパ光コードには、当該ジャンパコードの固有配線情報を記憶したコード探索用非接触ＩＣタグが取り付けられている。
【０００４】
配線変更作業において、作業者はタグリーダ／ライタをコード探索用非接触ＩＣタグの近傍にかざし、変更対象となるジャンパ光コードの固有配線情報を問合せ配線情報として発信する。前記問合せ配線情報と記憶されている固有配線情報が一致したコード探索用非接触ＩＣタグは、ＬＥＤを発光する。これによって、変更対象となるジャンパ光コードが特定され、従って作業者は所望のジャンパ光コードを容易に探索することができる。
【０００５】
ところで、数１００個或いはそれ以上の多数の非接触ＩＣタグ非接触ＩＣタグの近傍にタグリーダ／ライタを順順にかざして行う探索作業は効率が悪い。そこで、前記実施例では、１６個の光コネクタアダプタが配設されている線路成端トレイにも、ブロック探索用非接触ＩＣタグが取り付けられている。ブロック探索用非接触ＩＣタグのＥＥＲＯＭには、その線路成端トレイに接続される全てのジャンパ光コードに共通する光コードのブロック配線情報が書き込まれている。
【０００６】
ブロック探索用非接触ＩＣタグとコード探索用非接触ＩＣタグを用いた信号伝送線識別装置における配線変更作業においては、作業者はタグリーダ／ライタを各線路成端ユニットの前面近傍にかざし、変更対象となるジャンパ光コードが属するブロックの固有配線情報を問合せ配線情報として発信する。前記問合せ配線情報と記憶されている固有配線情報が一致したブロック探索用非接触ＩＣタグは、ＬＥＤを発光する。これによって、変更対象となるジャンパ光コードが属するブロックの線路成端ユニットが特定され、従って作業者は所望のジャンパ光コードを含む１６本のジャンパ光コードのブロックを容易に探索することができる。
【０００７】
続いて、作業者は、特定された線路成端ユニットの中から、変更対象となるジャンパ光コードを上述した手順で探索する。この場合、タグリーダ／ライタをかざすコード探索用非接触ＩＣタグは１６個であるから、極めて効率よく検索することができる。即ち、変更対象となるジャンパ光コードを容易に且つ短時間に探索することができる。
【０００８】
しかしながら、上述の信号伝送線識別装置にはプラグを挿着すべきコネクタアダプタの位置を報知する手段を備えていないから、作業者は配線表を参照しなければならない。このため、作業者の配線作業は効率が悪いだけでなく、誤挿着の恐れもある。また、上述の信号伝送線識別装置にはどのプラグがどのコネクタアダプタに接続されているかの配線状況を自動的に知る手段がない。このため、作業者はプラグとコネクタアダプタの接続を個々に且つ目視で確認しなければならず、作業効率が悪いだけでなく、確認ミスも起こり得るという問題がある。
【０００９】
次に、特開２００１−５７６８３号公報（特許文献２）には、バーコードの挿抜光ファイバ識別記号が付与された挿抜光ファイバが採用された光配線システムが開示されている。作業者は、作業支援形態端末で前記バーコードを読み取ることにより、挿抜光ファイバを効率よく探索することができる。
【００１０】
また、光配線システムを構成する接続盤と保持盤ユニットには、配列された光コネクタアダプタに隣接して、ＬＥＤからなる表示部がそれぞれ設けられている。これらの表示部は、中間光配線管理装置からの指示データを表示する。即ち、接続盤に設けられた表示部は、作業者が挿抜を行うべき接続盤上の接続端子を指示する。また、保持盤ユニットに設けられた表示部は、作業者が挿抜を行うべき挿抜ファイバを指示する。これによって、挿抜光ファイバ接続盤上の書く接続部の探索がより確実且つ迅速になり、接続替え作業を行う際の作業効率の向上及び光コード選択を行う際の誤認の防止を可能とするものである。
【００１１】
しかしながら、この光配線システムにおいては、現場の作業者が指示に従って挿抜光ファイバの挿抜を適切に行ったことを確認することができないという問題がある。また、挿抜を行うべき接続盤上の接続端子を指示する表示部は、当該接続端子を直接的に指示するものではなく、当該接続端子の位置番号を指示するものであり、作業者は指示された位置番号から目的の接続端子を探さなければならないという面倒さもある。更に、この表示部は、接続盤を作成する際に設置されるものであり、しかも有線で中間光配線管理装置に接続されているから、システムのコスト増に繋がるという問題もある。勿論、保持盤ユニットに設けられた表示部についても、同様のコストの問題がある。
【００１２】
更に、米国特許第５８２１５１０号公報（特許文献３）には、バーコードを利用した配線状態確認システムが開示されている。アダプタ用バーコードは、配線盤の多数のアダプタが所定の行列で整然と配置されている配線架に、アダプタ毎に取り付けられている。アダプタ用バーコードは、それが取り付けられているアダプタの位置情報を表すものである。また、プラグ用バーコードは、アダプタに挿着されるジャンパ線の両端のプラグにそれぞれ取り付けられている。プラグ用バーコードは、それが取り付けられているプラグの識別情報を表すものである。
【００１３】
アダプタ用バーコードとプラグ用バーコードのデータは、作業者によってバーコーリ−ダーで読み取られる。読み取られたデータは、パソコンの如き配線管理装置に無線伝送される。配線管理装置は、無線伝送されて入力されたデータを処理し、その表示画面にアダプタとプラグの接続状況を所定のフォーマットで表示する。管理室の配線管理装置のオペレータは、表示画面から、アダプタとプラグの接続が正しいか否かを判断する。或いは、配線管理装置は、アダプタとプラグの接続状況と共に、誤接続か否かの判断結果を併せて表示する。従って、このアダプタ用バーコードとプラグ用バーコードを利用した配線状態確認システムは、アダプタとプラグの接続状況を効率的に把握できるシステムである。
【００１４】
しかしながら、この従来のシステムでは、現場の作業者は誤接続を即時に知ることができないという問題がある。また、管理室の配線管理装置のオペレータから誤接続のアダプタの位置情報を電話等で知らされても、目視で当該アダプタを探さなければならない。これは作業効率が悪いだけでなく、ミスの恐れもある。更に、この従来のシステムでは、配線変更の対象となるアダプタとプラグを現場の作業者が直接的に知ることができないという問題もある。
【００１５】
更にまた、特開２００４−１６５０８９号公報（特許文献４）には、多数の光コネクタアダプタが配置された配線盤の選択された光コネクタアダプタにパッチコードの光コネクタを挿着し、または前記光アダプタから光コネクタを抜去して行う配線盤の配線作業を支援する配線装置が開示されている。この配線装置は、各光コネクタアダプタに隣接して配置されたＬＥＤを備えている。これらの表示部は、制御盤毎に設けられている制御部を介してパソコンに接続されている。前記パソコンには、上記光コネクタアダプタの配置データが予め記憶されており、前記制御部を介して前記表示部の点灯制御を行う。従って、作業者は、前記ＬＥＤの点灯によって、パッチコードの光コネクタを挿着すべき光コネクタアダプタを直接的に知ることができる。
【００１６】
この配線装置には、各光コネクタアダプタに隣接してアンテナが設けられている。また、パッチコードの光コネクタに非接触ＩＣタグが取り付けられており、前記非接触ＩＣタグにはコネクタＩＤが記憶されている。光コネクタアダプタにパッチコードのコネクタが挿着されると、前記アンテナを介してパソコンによってコネクタＩＤが読み取られる。従って、パソコンにより、配線盤の光コネクタアダプタへの光コネクタの接続情報を自動的に収集することができる。また、パソコンは、光コネクタアダプタに光コネクタが挿着されたことを検出すると、前記制御部を介して、コネクタ挿着を作業者に指示するために点灯しているＬＥＤを消灯させる。
【００１７】
この配線装置は、配線作業を効率化し、配線情報を自動的に収集するものであるが、パッチコードの光コネクタに非接触ＩＣタグの構造と配置、非接触ＩＣタグのコネクタＩＤを読み出すためのアンテナの構造と配置、ＬＥＤを含む表示部の構造と配置、更にはパソコンとアンテナ並びにＬＥＤとの接続に新たな製造コストを生じるので、コストが高いという問題がある。しかも、この配線装置は、配線盤或いは配線架を製造する際に組み込まなければならないので、汎用性が低いという問題もある。
【００１８】
【特許文献１】特開２００３−１１４２４７号公報
【特許文献２】特開２００１−５７６８３号公報
【特許文献３】米国特許第５８２１５１０号公報
【特許文献４】特開２００４−１６５０８９号公報
【発明の開示】
【発明が解決しようとする課題】
【００１９】
本発明が解決しようとする第１の課題は、配線盤の配線作業を効率よく且つ確実に行えるように現場の作業者を支援する低コストの配線支援システムを提供することである。
【００２０】
本発明が解決しようとする第２の課題は、接続ケーブルのプラグを挿抜すべきアダプタを現場の作業者に直接的に指示する低コストの配線支援システムを提供することである。
【００２１】
本発明が解決しようとする第３の課題は、接続ケーブルのプラグがアダプタに挿着されたこと、または接続ケーブルのプラグがアダプタから抜去されたことを現場の作業者に直接的に報知する低コストの配線支援システムを提供することである。
【００２２】
本発明が解決しようとする第４の課題は、配線盤の配線状況を表すデータを自動的に収集する低コストの配線支援システムを提供することである。
【課題を解決するための手段】
【００２３】
上述の第１と第２の課題を解決する手段は、配線支援システムをアダプタ用非接触ＩＣタグとタグリーダ／ライタを具備して構成し、前記アダプタ用非接触ＩＣタグの報知部によってプラグを挿抜すべきアダプタ位置を現場作業員に直接的に報知するようにしたことである。
【００２４】
上述の第１と第３の課題を解決する手段は、配線支援システムをアダプタ用非接触ＩＣタグ、タグリーダ／ライタ及び挿抜センサを具備して構成し、前記アダプタ用非接触ＩＣタグの報知部によってプラグを挿抜すべきアダプタ位置とプラグの挿抜の完了を現場作業員に直接的に報知するようにしたことである。
【００２５】
上述の第１と第４の課題を解決する手段は、配線支援システムをアダプタ用非接触ＩＣタグ、プラグ用非接触ＩＣタグ及びタグリーダ／ライタを具備して構成し、プラグがアダプタに挿着された場合に、前記タグリーダ／ライタによって前記アダプタのアダプタ用非接触ＩＣタグの記憶部に前記プラグの固有の識別情報を、且つ前記プラグのプラグ用非接触ＩＣタグの記憶部に前記アダプタの位置情報をそれぞれ書き込ませること、及び、これら記憶部に記憶されているデータを読み取らせるようにしたことである。
【発明の効果】
【００２６】
本発明により、配線盤の配線作業を効率よく且つ確実に行えるように現場の作業者を支援する低コストの配線支援システムが提供された。即ち、アダプタ用非接触ＩＣタグの報知部の発光等の報知によってプラグを挿抜すべきアダプタを直接的に知ることができるから、現場の作業者のアダプタ探索作業の効率が高まった。
また、プラグ挿抜センサによりプラグのアダプタへの挿抜が現場で直接的に確認できるから、不完全なプラグの挿着が防止できるようになった。
【００２７】
更に、アダプタ用非接触ＩＣタグに記憶されている固有の識別情報と位置情報とプラグ用非接触ＩＣタグに記憶されている固有の識別情報とを関連付けた配線情報に基づいて、タグリーダ／ライタと前記アダプタ用非接触ＩＣタグまたは前記プラグ用非接触ＩＣタグとの間でデータの授受が行われるから、アダプタ並びにプラグの検索は確実に行われ、アダプタへのプラグの挿着も確実に行われるようになった。
しかも、アダプタ用非接触ＩＣタグまたはプラグ用非接触ＩＣタグには現在のプラグ挿着状況を表すデータが記憶されているから、タグリーダ／ライタによって配線状況のデータ収集を自動的に行えるようになった。
【発明を実施するための最良の形態】
【００２８】
本発明に係る配線支援システムは、多数のアダプタが配置された配線盤に適用される。即ち、本発明に係る配線支援システムは、配線盤の多数のアダプタの中から選択されたアダプタへの接続ケーブルのプラグの挿抜を行う配線作業を支援する配線支援システムであって、アダプタ用非接触ＩＣタグ、タグリーダ／ライタ、及び配線管理装置とで構成されている。
【００２９】
前記アダプタ用非接触ＩＣタグは、アダプタの固有の識別情報と位置情報を記憶した記憶部と報知部とを備えて構成されている。前記タグリーダ／ライタは、配線管理情報に基づいて前記アダプタ用非接触ＩＣタグとデータの授受を行うものである。前記配線管理装置は、前記配線管理情報が格納されているデータベースを備えて構成されており、パソコン等で実現されるものである。
【００３０】
そして、前記アダプタ用非接触ＩＣタグは、前記タグリーダ／ライタから受信した配線作業指示情報に含まれている識別情報と記憶している固有の識別情報が一致したときには、その報知部を作動させ、接続ケーブルのプラグを挿抜すべきアダプタの位置を作業者に直接的に報知する。
【実施例１】
【００３１】
本発明の実施例１の配線支援システムは、図１に示す如く、複数のアダプタ１２が配設された配線盤１１に適用されたもので、配線盤１１に配設されている多数のアダプタの中から選択されたアダプタ１２に、作業者が接続ケーブルのプラグの挿抜を行う配線作業を支援する配線支援システムである。この配線支援システムは、図５に示す如きアダプタ用非接触ＩＣタグ２０、図６に示す如きプラグ用非接触ＩＣタグ３０、図４に示す如き配線盤設置型タグリーダ／ライタ４０、及び配線管理装置とで構成されている。なお、図１に示すコントローラ１５は、配線盤設置型タグリーダ／ライタ４０からバックワイヤーボード部（ＢＷＢ部）４４とアンテナ部４６を除いて構成されたものである。
【００３２】
配線盤１１には、横に２個、縦に５個の計１０個のパネルが整然と配列されている。１個のパネル１４には、４個のアダプタ１２が横一列に配設されている。従って、配線盤１１は４０個のアダプタを有するものであり、換言すれば４０個のポートを備えたものである。これら４０個のアダプタの位置は、パネル番号と当該パネルのポート番号の２つの番号で特定される。
【００３３】
パネル１４の模式的な斜視図である図２及び側面図である図３において、断面Ｌ字型のパネル板１４ａの垂直部には４個のアダプタ１２が横一列に等間隔に固着されている。アダプタ１２には、アダプタ用非接触ＩＣタグ２０がそれぞれに近接して配置され、パネル板１４ａの垂直部に取付けられている。アダプタ用非接触ＩＣタグ２０は、後述する如く、報知部として機能するＬＥＤ２４を備えている。パネル板１４ａの水平部には、アダプタ用非接触ＩＣタグ２０とデータの授受を行うタグリーダ／ライタ４０のアンテナ部４６が取付けられている。ところで、１個のアダプタ用非接触ＩＣタグ２０が１個のアダプタ１２には配置されているが、１個のアダプタ用非接触ＩＣタグ２０を隣接して配置されている２個のアダプタ１２に共用させることもできる。
【００３４】
アダプタ１２に挿入される光コネクタプラグ１３、即ち光ファイバケーブル１７の一端を構成する光コネクタプラグ１３は、図２に模式的に示す如くコネクタ用非接触ＩＣタグ３０が付されたプラグである。コネクタ用非接触ＩＣタグ３０は、光コネクタプラグ１３に嵌めこまれた断面Ｌ字型の突出部材１３ａに取付けられている。パネル１４の模式的な側面図である図３において、（Ａ）はアダプタ１２に光コネクタプラグ１３が挿着される前の状態を、（Ｂ）はアダプタ１２に光コネクタプラグ１３が挿着された状態をそれぞれ示す。
【００３５】
また、図４は、アダプタ１２への光コネクタプラグ１３の挿抜を検出する機械接点スイッチ１８を備えたパネル１４の模式的な側面図であり、（A）はアダプタ１２に光コネクタプラグ１３が挿着される前の状態を、（B）アダプタ１２に光コネクタプラグ１３が挿着された状態をそれぞれ示す。なお、プラグ挿抜センサとしては、上述の機械接点スイッチの他に、磁力センサ、光センサも利用できる。
【００３６】
本発明の必須構成要素であるアダプタ用非接触ＩＣタグ２０は、図５にブロック回路図で示す如く、制御部２１、記憶部２２、駆動部２３、ＬＥＤ２４、プラグ挿抜センサ入力部２５、アンテナ部２６、変復調部２７、電源生成部２９とで構成されている。
【００３７】
制御部２１は、アダプタ用非接触ＩＣタグ２０の各構成部を、プログラムに従って制御するものである。記憶部２２には、制御プログラムと各種のアプリケーションプログラムが記憶されている。また、記憶部２２には、アダプタ用非接触ＩＣタグ２０が付されたアダプタ１２の固有の識別情報（ＵＩＤ）と位置情報が記憶されている。更に、記憶部２２には、アダプタ１２にプラグ１３が挿着されたときは、後述する如く、当該プラグのＵＩＤも記憶される。これは、配線状況の自動収集を可能にするためである。更にまた、記憶部２２には、これから挿着が期待されるプラグの固有の識別情報（ＵＩＤ）も記憶することができる。駆動部２３とＬＥＤ２４は、報知部を構成する。駆動部２３は、制御部２１によって制御され、ＬＥＤ２４の点灯や消灯を行う。プラグ挿抜センサ入力部２５は、後述するプラグ挿抜センサからの信号を制御部２１に入力する。
【００３８】
電源生成部２９は、配線盤設置型タグリーダ／ライタ４０からの高周波電波をアンテナ部２６が受信すると、前記高周波電波に同調して直流電圧を生成し、制御部２１を含むアダプタ用非接触ＩＣタグ２０の各構成部に前記直流電圧を供給する。変復調部２７は、タグリーダ／ライタ４０からのアンテナ部２６を介して受信信号を復調し、制御部２１に入力する。また、変復調部２７は、制御部２１の出力信号を変調し、アンテナ部２６を介して配線盤設置型タグリーダ／ライタ４０に向けて送信する。
【００３９】
ところで、アダプタ用非接触ＩＣタグ２０が隣接する２個のアダプタ１２に１個ずつ配置してパネル１４を構成することも可能である。この場合、アダプタ用非接触ＩＣタグ２０の記憶部には前記２個のアダプタの固有の識別情報が記憶されている。そして、アダプタ用非接触ＩＣタグ２０の制御部２１は、報知部を構成するＬＥＤ２４に２種類の発光を行わせ、２個のアダプタ１２を識別させる。
【００４０】
次に、プラグ用非接触ＩＣタグ３０は、図６にブロック回路図で示す如く、制御部３１、記憶部３２、アンテナ部３６、変復調部３７、電源生成部３９とで構成されている。
【００４１】
制御部３１は、プラグ用非接触ＩＣタグ３０の各構成部を、プログラムに従って制御するものである。記憶部３２には、制御プログラムと各種のアプリケーションプログラムが記憶されている。また、記憶部３２には、プラグ用非接触ＩＣタグ３０が付されたプラグ１３の固有の識別情報（ＵＩＤ）が記憶されている。更に、記憶部３２には、アダプタ１２にプラグ１３が挿着されたときは、後述する如く、当該アダプタの位置情報、即ちパネル番号とポート番号も記憶される。これは、配線状況の自動収集を可能にするためである。更にまた、記憶部３２には、プラグの収容替えを行う際に、プラグを外したまま放置することを防止するための処理待ちフラグ等も記憶されている。
【００４２】
電源生成部３９は、配線盤設置型タグリーダ／ライタ４０からの高周波電波をアンテナ部３６が受信すると、前記高周波電波に同調して直流電圧を生成し、制御部３１を含むプラグ用非接触ＩＣタグ３０の各構成部に前記直流電圧を供給する。変復調部３７は、タグリーダ／ライタ４０からアンテナ部２６を介して受信した受信信号を復調し、制御部３１に入力する。また、変復調部３７は、制御部３１の出力信号を変調し、アンテナ部３６を介して配線盤設置型タグリーダ／ライタ４０に向けて送信する。
【００４３】
次に、配線盤設置型タグリーダ／ライタ４０は、図７にブロック回路図で示す如く、制御部４１、記憶部４２、通信ＩＦ部４３、ＢＷＢ部４４、アンテナ切替部４５、アンテナ部４６、変復調部４７、及び電源部４９とで構成されている。
【００４４】
制御部４１は、配線盤設置型タグリーダ／ライタ４０の各構成部を、プログラムに従って制御するものである。記憶部４２には、制御プログラムと各種のアプリケーションプログラムが記憶されている。また、記憶部４２には、前記配線管理装置から取得した配線管理情報等が格納されている。更に、記憶部４２には、アダプタ用非接触ＩＣタグ２０から収集した配線状態情報等も記憶される。
【００４５】
アンテナ部４６は、パネル１４毎に設けられており、複数のアダプタ用非接触ＩＣタグ２０に近接してパネル１４に配置されている。アンテナ部４６は、ＢＷＢ部４４とアンテナ切替部４５を介して変復調部と制御部に接続されている。アンテナ切替部４５は、パネル単位でアンテナ切替を行うものである。ＢＷＢ部４４は、パネル同士を接続し、アンテナ切替部４５に対するインターフェイスとして機能する。通信ＩＦ部４３は、他のコントローラとの接続用インターフェイス、又は無線ＬＡＮインターフェイスを構成する。変復調部４７は、アンテナ部４６を介して受信した受信信号を復調し、制御部４１に入力する。また、変復調部４７は、制御部４１の出力信号を変調し、アンテナ部４６を介してアダプタ用非接触ＩＣタグ２０に向けて送信する。電源部４９は、制御部４１を含む配線盤設置型タグリーダ／ライタ４０の各構成部に前記直流電圧を供給する。
【００４６】
更に、実施例１の配線支援システムを構成する配線管理装置は、データベース１６を含んで構成されている。データベース１６には、配線管理情報が格納されている。配線管理装置は、パソコンで実現できるものである。
【００４７】
（事前準備処理）
図１１は、配線盤１１に配置されているアダプタ用非接触ＩＣタグ２０に、固定位置情報を書き込む処理の流れを示す。
【００４８】
図１１において、アダプタ１２に付されているアダプタ用非接触ＩＣタグ２０に、パネル番号とポート番号の書き込みは、例えば、パネル毎に順に行われる。即ち、先ず、パネル番号１のパネルにおいて、ポート番号１、ポート番号２、ポート番号３及びポート番号４のポート位置を構成するアダプタに配置されているアダプタ用非接触ＩＣタグ２０に、パネル番号１／ポート番号１、パネル番号１／ポート番号２、パネル番号１／ポート番号３、パネル番号１／ポート番号４の如く固定位置情報が書き込まれる。パネル番号１に配置されているアダプタ用非接触ＩＣタグ２０への固定位置情報の書き込みが終わると、パネル番号２に配置されているアダプタ用非接触ＩＣタグ２０への固定位置情報の書き込みが上述と同様に行われる。以下、パネル番号３に配置されているアダプタ用非接触ＩＣタグ２０からパネル番号１０に配置されているアダプタ用非接触ＩＣタグ２０への固定位置情報の書き込みが順に、上述した如く行われる。
【００４９】
即ち、図１１に示す如く、固定位置情報の書き込み指令が入力されると、配線管理装置は選択されたアダプタ用非接触ＩＣタグ２０、即ち固有の識別情報（ＵＩＤ）を有するアダプタ用非接触ＩＣタグ２０の記憶部２２に、パネル番号とポート番号を書き込む（１０１）。
【００５０】
続いて配線管理装置は、パネル１のアダプタ１２に付されている全てのアダプタ用非接触ＩＣタグ２０の記憶部２２への書き込みが終了したか否かを判定する（１０２）。ステップ１０２の判定結果はＮＯであれば、配線管理装置はアダプタ用非接触ＩＣタグ２０の固有の識別情報（ＵＩＤ）を変更し（１０３）、最初のステップ１０１に戻り、上述の処理を行う。即ち、変更されたＵＩＤを有するアダプタ用非接触ＩＣタグ２０に、対応するアダプタのパネル番号とポート番号を書き込む。
【００５１】
パネル１のアダプタ１２に付されている全てのアダプタ用非接触ＩＣタグ２０の記憶部２２への書き込みが終了すると、ステップ１０２の判定結果はＹＥＳとなる。すると、配線管理装置はパネル１からパネル１０の全てのパネルのアダプタ２に付されているアダプタ用非接触ＩＣタグ２０の記憶部２２への書き込みが終了したか否かを判定する（１０４）。ステップ１０４の判定結果がＮＯであれば、配線管理装置はパネル番号をパネル１からパネル２に変更し（１０５）、最初のステップ１０１に戻り、上述の処理を行う。即ち、パネル２のポート１からポート４の位置に配置されているアダプタ２に付されているアダプタ用非接触ＩＣタグ２０に、ステップ１０１、ステップ２及びステップ１０３の処理を順に行って、固有位置情報であるパネル番号とポート番号を書き込む。
【００５２】
パネル１からパネル９のアダプタ１２に付されている全てのアダプタ用非接触ＩＣタグ２０の記憶部２２への書き込みが終了すると、ステップ１０４の判定結果はＹＥＳとなり、配線管理装置はアダプタ用非接触ＩＣタグ２０の記憶部２２への固定位置情報の書き込み処理を終了させる。
【００５３】
上述の事前準備によって、アダプタ用非接触ＩＣタグ２０の記憶部２２にアダプタ１２の固有位置情報が記憶されると、本発明に係る配線支援システムは、新設配線作業支援、移設配線作業支援を以下に詳述する如く実施できる。なお、配線盤１１に配置されているアダプタ用非接触ＩＣタグ２０に固定位置情報を書き込む処理を、配線管理装置を操作して行うものとしたが、コントローラ１５を操作して行うこともできる。アダプタ用非接触ＩＣタグ２０に固定位置情報を書き込む処理は、上述の如く配線装置に取り付けた後に行ってもよいし、予め書き込み処理を済ませたアダプタ用非接触ＩＣタグ２０を配線装置に取り付けてもよいことは勿論である。
【００５４】
（新設配線作業支援）
図１２は、配線盤１１上の選択された一対のアダプタ（Ａ側アダプタとＢ側アダプタ）に、１本の接続ケーブルの両端のプラグをそれぞれ挿着して行う配線作業における本発明の一実施例の配線支援システムの動作の流れを示す。
【００５５】
図１２において、配線作業のためのナビゲーション開始指令が入力されると（２０１）、タグリーダ／ライタ４０は、アダプタ用非接触ＩＣタグ２０に一括して最初の新設配線作業指示情報を送信する。前記最初の新設配線作業指示情報には、Ａ側アダプタのアダプタ用非接触ＩＣタグ２０の固有の識別情報が含まれている。すると、前記新設配線作業指示情報を受信したＡ側アダプタのアダプタ用非接触ＩＣタグ２０は、報知部を構成するＬＥＤ２４を点滅させ（２０２）、作業者にプラグを挿着すべきＡ側アダプタの場所を直接的に報知する。
【００５６】
Ａ側アダプタへのプラグの挿着が完了すると（２０３）、タグリーダ／ライタ４０は、前記挿着されたプラグ（Ａ側プラグ）のプラグ用非接触ＩＣタグ３０とデータの授受を行い、データの書き換え等を行う（２０４）。即ち、タグリーダ／ライタ４０は、Ａ側アダプタのアダプタ用非接触ＩＣタグ２０の記憶部２２に記憶されている位置情報を読み取り、この位置情報をＡ側プラグのプラグ用非接触ＩＣタグ３０の記憶部３２に書き込む。続いて、タグリーダ／ライタ４０は、Ａ側プラグのプラグ用非接触ＩＣタグ３０に記憶されている固有の識別情報を読み取り、この識別情報をＡ側アダプタのアダプタ用非接触ＩＣタグ２０の記憶部２２に書き込む。
【００５７】
ステップ２０４に続いて、Ａ側アダプタのアダプタ用非接触ＩＣタグ２０はＬＥＤ２４を消灯させる（２０５）。
【００５８】
続いて、タグリーダ／ライタ４０は、アダプタ用非接触ＩＣタグ２０に一括して次の配線作業指示情報を送信する。前記次の新設配線作業指示情報には、Ｂ側アダプタのアダプタ用非接触ＩＣタグ２０の固有の識別情報が含まれている。すると、前記新設配線作業指示情報を受信したＢ側アダプタのアダプタ用非接触ＩＣタグ２０は、ＬＥＤ２４を点滅させ（２０６）、作業者にプラグを挿着すべきＢ側アダプタの場所を直接的に報知する。
【００５９】
Ｂ側アダプタへのプラグの挿着が完了すると（２０７）、タグリーダ／ライタ４０は、前記挿着されたプラグ（Ｂ側プラグ）のプラグ用非接触ＩＣタグ３０とデータの授受を行い、データの書き換え等を行う（２０８）。即ち、タグリーダ／ライタ４０は、Ｂ側アダプタのアダプタ用非接触ＩＣタグ２０に記憶されている位置情報を読み取り、この位置情報をＢ側プラグのプラグ用非接触ＩＣタグ３０の記憶部３２に書き込む。続いて、タグリーダ／ライタ４０は、Ｂ側プラグのプラグ用非接触ＩＣタグ３０に記憶されている固有の識別情報を読み取り、この識別情報をＢ側アダプタのアダプタ用非接触ＩＣタグ２０の記憶部２２に書き込む。
【００６０】
ステップ２０８に続いて、Ｂ側アダプタのアダプタ用非接触ＩＣタグ２０はＬＥＤ２４を消灯させ（２０９）、そして、タグリーダ／ライタ４０は、ナビゲーションが終了したか否かを判定する（２１０）。ステップ２１０の判定結果がＮＯならば、次のナビゲーション個所の検索を開始させ（２１１）、ステップ２０２からステップ２０９までの処理を行う。ステップ２１０の判定結果がＹＥＳならば、ナビゲーション処理動作を終了する。
【００６１】
（移設配線作業支援）
図１３及び図１４は、配線盤１１上の選択されたアダプタ（移設元アダプタ）に挿着されているプラグを抜去し、配線盤１１上の選択されたアダプタ（移設先アダプタ）に挿着する移設配線作業における本発明の一実施例の配線支援システムの動作の流れを示す。
【００６２】
図１３及び図１４において、移設開始指令が入力されると（３０１）、タグリーダ／ライタ４０は、アダプタ用非接触ＩＣタグ２０に一括して最初の移設配線作業指示情報を送信する。前記最初の移設配線作業指示情報には、移設元アダプタのアダプタ用非接触ＩＣタグ２０の固有の識別情報が含まれている。すると、前記移設配線作業指示情報を受信した移設元アダプタのアダプタ用非接触ＩＣタグ２０は、ＬＥＤ２４を点滅させ（３０２）、作業者にプラグを抜去すべき移設元アダプタの場所を直接的に報知する。
【００６３】
移設元アダプタからのプラグの抜去が完了すると（３０３）、タグリーダ／ライタ４０は、アダプタのアダプタ用非接触ＩＣタグ２０に記憶部２２に記憶されている前記抜去プラグの固有の識別情報を消去し、ＬＥＤ２４を消灯させる（３０４）。
【００６４】
ステップ３０４に続いて、タグリーダ／ライタ４０は移設先アダプタにプラグが挿着されているか否かを判定する（３０５）。
【００６５】
ステップ３０５の判定結果がＮＯならば、タグリーダ／ライタ４０はフラグをオンにし（３０８）、ステップ３０９に進む。
【００６６】
ステップ３０５の判定結果がＹＥＳならば、タグリーダ／ライタ４０は、アダプタ用非接触ＩＣタグ２０に一括して次の移設配線作業指示情報を送信する。前記次の移設配線作業指示情報には、移設先アダプタのアダプタ用非接触ＩＣタグ２０の固有の識別情報が含まれている。すると、前記移設配線作業指示情報を受信した移設先アダプタのアダプタ用非接触ＩＣタグ２０は、ＬＥＤ２４を点滅させ（３０６）、作業者に挿着されているプラグを抜去すべき移設先アダプタの場所を直接的に報知する。
【００６７】
ステップ３０６に続いて、タグリーダ／ライタ４０は、移設先アダプタからプラグが抜去されたか否かを判定する（３０７）。
【００６８】
ステップ３０７の判定結果がＹＥＳならば、タグリーダ／ライタ４０は、挿着されるべきプラグのプラグ用非接触ＩＣタグ３０の固有の識別情報を、移設先アダプタのアダプタ用非接触ＩＣタグ２０の記憶部２２に書き込む（３０９）。そして、移設先アダプタのアダプタ用非接触ＩＣタグ２０は、ＬＥＤ２４の点滅を点灯に切替える（３１０）。
【００６９】
ステップ３１０に続いて、タグリーダ／ライタ４０は、移設先アダプタにプラグが挿着されたか否かを判定する（３１１）。
【００７０】
ステップ３１１の判定結果がＹＥＳならば、タグリーダ／ライタ４０は、挿着されたプラグのプラグ用非接触ＩＣタグ３０の固有の識別情報と、移設先アダプタのアダプタ用非接触ＩＣタグ２０の記憶部２２に書き込まれている挿着されるべきプラグのプラグ用非接触ＩＣタグ３０の固有の識別情報とをそれぞれ読み出して、これらの識別情報が一致しているか否かを判定する（３１２）。
【００７１】
ステップ３１２の判定結果がＹＥＳならば、タグリーダ／ライタ４０は、挿着されているプラグのプラグ用非接触ＩＣタグ３０の記憶部３２に、移設先アダプタの位置情報を書き込む（３１３）。そして、移設先アダプタのアダプタ用非接触ＩＣタグ２０は、ＬＥＤ２４を消灯させる（３１４）。
【００７２】
ステップ３１４に続いて、タグリーダ／ライタ４０は、フラグが立っているか否かを判定する（３１４）。ステップ３１４の判定結果がＹＥＳならば、処理はスタートに戻る。
【００７３】
ステップ３１４の判定結果がＮＯならば、タグリーダ／ライタ４０はフラグをオフにし（３１６）、移設先アダプタから抜去されたプラグを備えた接続ケーブルは撤去すべきものか否かを判定する（３１７）。
【００７４】
ステップ３１７の判定結果がＹＥＳならば、タグリーダ／ライタ４０は、接続ケーブル撤去のためにプラグが抜去されるアダプタのアダプタ用非接触ＩＣタグ２０のＬＥＤ２４を点滅させる（３１８）。前記接続ケーブルは、移設先アダプタから抜去されたプラグを備えたケーブルである。
【００７５】
ステップ３１８に続いて、前記報知されたアダプタからプラグが抜去されたか否かを判定する（３１９）。ステップ３１９の判定結果がＮＯであれば、処理の流れはステップ３１８に戻る。ステップ３１９の判定結果がＹＥＳならば、処理待ちフラグの有無を判定（３２０）する。そして、ステップ３２０の判定結果がＮＯであれば処理は終了する。また、ステップ３２０の判定結果がＹＥＳならば、処理の流れは図１３のステップ３１０に戻る。
【００７６】
ところで、ステップ３１２の判定結果がＮＯであれば、アダプタに挿着されるべきプラグと、前記アダプタに挿着されたプラグが移設配線作業指令に従ったものではなかった場合であるから、以下の処理が行われる。即ち、タグリーダ／ライタ４０は、プラグ用非接触ＩＣタグ３０には処理待ち情報を書き込み（３２１）処理を行い、続いて処理待ちフラグをオンにする（３２２）。ステップ３２２に続いて、タグリーダ／ライタ４０は、アダプタ用非接触ＩＣタグ２０に一括して次の移設配線作業指示情報を送信する。前記次の移設配線作業指示情報には、移設先アダプタのアダプタ用非接触ＩＣタグ２０の固有の識別情報が含まれている。すると、前記移設配線作業指示情報を受信した移設先アダプタのアダプタ用非接触ＩＣタグ２０は、ＬＥＤ２４を点滅させ（３２３）、作業者にプラグを移設すべき移設元アダプタの場所を直接的に報知する。
【００７７】
ステップ３２３に続いて、タグリーダ／ライタ４０は、移設先アダプタからプラグが抜去されているか否かを判定する（３２４）。ステップ３２４の判定結果がＮＯであれば、処理の流れはステップ３２３に戻る。そして、ステップ３２４の判定結果がＹＥＳならば、処理の流れは図１３のステップ３１０に戻る。
【００７８】
なお、移設先アダプタから抜去されたプラグを一端に備える接続ケーブルは撤去されるべきものか否かの判定（３１７）の結果がＮＯならば、処理の流れは図１３のステップ３０５に戻り、上述の処理が行われる。
【００７９】
（配線情報収集）
本発明に係る配線支援システムにおいて、配線盤１１を構成する複数のアダプタ１２には、それぞれのアダプタの固有の識別情報を記憶したアダプタ用非接触ＩＣタグ２０が配置されており、且つ、アダプタ用非接触ＩＣタグ２０には当該アダプタの固有位置情報と挿着されているプラグの固有の識別情報が記憶されている。従って、配線盤１１の配線状況は、タグリーダ／ライタ４０によって何時でも自動的に収集することができる。また、配線管理装置に保存されている配線状況を示すマップと、収集した現在の配線情報を比較して異なっていた場合には、当該異なっている個所のアダプタ用非接触ＩＣタグ２０の報知部を作動させて、現場の作業員に直接的に知らせることができる。
【実施例２】
【００８０】
本発明の実施例２の配線支援システムは、実施例１と同じく配線盤設置型タグリーダ／ライタ４０を備えたものであるが、図９に示す如く、パネル１４に配置されているアンテナ部４６が接続ケーブル１９を介して図示しないパソコンに接続されて構成されたものである。前記パソコンは、図５に示す配線盤設置型タグリーダ／ライタ４０からアンテナ部４６を除いた全ての機能を含み、且つ実施例１におけるデータベース１６の機能を含むものである。なお、配線盤設置型タグリーダ／ライタ４０のアンテナ部４６は、パネル毎に固着して配置する固定型アンテナ部である。しかし、アクセスを必要とするパネルに作業員がその都度配置し、アクセス完了後には取り外す半固定型アンテナ部でもよい。この場合の半固定手段は、剥がせる接着剤を塗布した接着シート等で実現できる。
【００８１】
実施例２の配線支援システムにおいて、実施例１と同じく、アダプタ用非接触ＩＣタグへの初期データの書き込みは図１１のフローチャートに従って行われ、新設配線作業支援は、図１２フローチャートに従って行われ、更に、移設配線作業支援は図１３及び図１４のフローチャート従って行われる。
【実施例３】
【００８２】
本発明の実施例３の配線支援システムは、図１０に示す如く、手持ちプローブ型タグリーダ／ライタ５０を用いて構成したもので、図１や図９に示すものと同じ配線盤１１に適用されている。即ち、配線盤１１は、横に２個、縦に５個の計１０個のパネルが整然と配列されている。１個のパネル１４には、４個のアダプタ１２が横一列に配設されている。従って、配線盤１１は４０個のアダプタを有するものであり、換言すれば４０個のポートを備えたものである。これら４０個のアダプタの位置は、パネル番号と当該パネルのポート番号の２つの番号で特定される。
【００８３】
手持ちプローブ型タグリーダ／ライタ５０は、図８にブロック回路図で示す如く、制御部５１、記憶部５２、通信ＩＦ部５３、入力部５４、表示部５５、アンテナ部５６、変復調部５７、及び電源部５９とで構成されている。
【００８４】
制御部５１は、手持ちプローブ型タグリーダ／ライタ５０の各構成部を、プログラムに従って制御するものである。記憶部５２には、制御プログラムと各種のアプリケーションプログラムが記憶されている。また、記憶部５２には、前記配線管理装置から取得した配線管理情報等が格納されている。更に、記憶部５２には、アダプタ用非接触ＩＣタグ２０から収集した配線状態情報等も記憶される。
【００８５】
通信ＩＦ部５３は、他のコントローラとの接続用インターフェイス、又は無線ＬＡＮインターフェイスを構成する。入力部５４は作業者により操作されるキーボードやスイッチである。表示部５５は液晶表示部を含む。変復調部５７は、アンテナ部５６を介して受信した受信信号を復調し、制御部５１に入力する。また、変復調部５７は、制御部５１の出力信号を変調し、アンテナ部５６を介してアダプタ用非接触ＩＣタグ２０に向けて送信する。電源部５９は、制御部５１を含む配線盤設置型タグリーダ／ライタ５０の各構成部に前記直流電圧を供給する。
【００８６】
実施例３の配線支援システムにおいては、作業者は手持ちプローブ型タグリーダ／ライタ５０をパネル１４に近づけて、パネル１４に取付けられているアダプタ用非接触ＩＣタグ２０とデータの授受を行う。アダプタ用非接触ＩＣタグへの初期データの書き込みは図１１のフローチャートに従って行われ、新設配線作業支援は、図１２フローチャートに従って行われ、更に、移設配線作業支援は図１３及び図１４のフローチャート従って行われる。
【００８７】
以上、光コネクタアダプタを備えた光ケーブル用の配線盤に適用した実施例を詳細に説明したが、本発明はＬＡＮケーブル、メタルケーブル、同軸ケーブル等の配線盤に適用できることは言うまでもない。
【図面の簡単な説明】
【００８８】
【図１】本発明の実施例１の配線支援システムの構成図である。
【図２】一実施例のパネルの模式的な斜視図である。
【図３】一実施例のパネルの模式的な側面図で、（Ａ）はアダプタ１２に光コネクタプラグ１３が挿着される前の状態を、（Ｂ）はアダプタ１２に光コネクタプラグ１３が挿着された状態をそれぞれ示す。
【図４】パネル挿抜センサを備えた一実施例のパネルの模式的な側面図で、（Ａ）はアダプタ１２に光コネクタプラグ１３が挿着される前の状態を、（Ｂ）はアダプタ１２に光コネクタプラグ１３が挿着された状態をそれぞれ示す。
【図５】一実施例のアダプタ用非接触ＩＣタグのブロック構成図である。
【図６】一実施例のプラグ用非接触ＩＣタグのブロック構成図である。
【図７】一実施例の配線盤設置型タグリーダ／ライタのブロック構成図である。
【図８】一実施例の手持ちプローブ型タグリーダ／ライタのブロック構成図である。
【図９】本発明の実施例２の配線支援システムの構成図である。
【図１０】本発明の実施例３の配線支援システムの構成図である。
【図１１】本発明の配線支援システムおけるアダプタ用非接触ＩＣタグへの初期データの書き込みの流れを示すフローチャートである。
【図１２】本発明の配線支援システムによる新設配線作業支援の流れを示すフローチャートである。
【図１３】本発明の配線支援システムによる移設配線作業支援の流れを示すフローチャートである。
【図１４】本発明の配線支援システムによる移設配線作業支援の流れを示すフローチャートである。
【符号の説明】
【００８９】
１１  配線盤
１２  アダプタ
１３  光コネクタプラグ
１４  パネル
１４ａ  パネル板
１５  コントローラ
１６  データベース
１７  光ファイバケーブル
１８  プラグ挿抜センサ
１９  パソコンへの接続ケーブル
２０  アダプタ用非接触ＩＣタグ
２１  制御部
２２  記憶部
２３  駆動部
２４  ＬＥＤ
２５  プラグ挿抜センサ入力部
２６  アンテナ部
２７  変復調部
２８  電源生成部
３０  アダプタ用非接触ＩＣタグ
３１  制御部
３２  記憶部
３６  アンテナ部
３７  変復調部
３８  電源生成部
４０  タグリーダ／ライタ
４１  制御部
４２  記憶部
４３  通信ＩＦ部
４４  ＢＷＢ部
４５  アンテナ切替部
４６  アンテナ
４７  変復調部
４９  電源部
５０  ハンディ型タグリーダ／ライタ
５１  制御部
５２  記憶部
５３  通信ＩＦ部
５４  入力部
５５  表示部
５６  アンテナ
５７  変復調部
５９  電源部
【図１】
2006054118.tif 000003
【図２】
2006054118.tif 000004
【図３】
2006054118.tif 000005
【図４】
2006054118.tif 000006
【図５】
2006054118.tif 000007
【図６】
2006054118.tif 000008
【図７】
2006054118.tif 000009
【図８】
2006054118.tif 000010
【図９】
2006054118.tif 000011
【図１０】
2006054118.tif 000012
【図１１】
2006054118.tif 000013
【図１２】
2006054118.tif 000014
【図１３】
2006054118.tif 000015
【図１４】
2006054118.tif 000016